(57)【要約】【課題】  このような二種類のカーテンを一つのフックで位置調整可能に吊るすためのカーテンフックにおけるカーテンフックの着脱機構を提供する。【解決手段】  撓性材料で構成されたカーテンフック本体１０と、その底部の一方の側面からＵ字状に曲げられて設けられた表地カーテン差込部１１と、本体１０に設けられたラチェット部１２と、これに滑動・固定可能に係止されるラチェット係合用ボックスとフックとからなる第１のフック部であるランナー掛け用のフック部１３と、裏地カーテン係止用の第２の差込部１４が固定して設けられたカーテン用アジャスターフックにおけるランナー掛け用のフックの着脱・固定機構はラチェット部が前記第１のフック部の滑動方向に対して両側面に設けられ、本体１０のラチェット部が設けられた側面の底部側に、第１のフック部１３の取り外し用の溝部を備えており、ボックスの位置を前記溝部の位置まで移動し裏地カーテンの差込部１４側にフック部１３を引っ張ることによりフック部を取り外す。【選択図】図１
2019107431.tif 000002
【特許請求の範囲】
【請求項１】
可撓性材料で構成されたカーテンフック本体と、
前記カーテンフック本体の底部の一方の側面からＵ字状に曲げられて設けられた表地カーテン差込部と、
前記カーテンフック本体に設けられたラチェット部と、
前記ラチェット部に滑動・固定可能に係止される可撓性材料で構成され、ラチェット係合用の爪部を有するラチェット係合用ボックスと前記ラチェット係合ボックス上に設けられたフックとからなる第１のフック部であるランナー掛け用のフック部と、
前記カーテンフック本体の底部の他方の側面に裏地カーテン係止用の第２の差込部が固定して設けられたカーテン用アジャスターフックにおけるランナー掛け用のフックの着脱・固定機構であって、
前記ラチェット部が前記第１のフック部の滑動方向に対して両側面に設けられ、
前記本体のラチェット部が設けられた側面の底部側に、前記第１のフック部の取り外し用の溝部を備えており、
前記第１のフック部のラチェット係合用ボックスを前記ラチェット部の頂部から挿入することにより前記第１のフック部をカーテンフック本体に取り付け、
前記ラチェット係合用ボックスの位置を前記ラチェット部における所望の位置で位置調整して固定し、そして
前記ラチェット係合用ボックスの位置を前記溝部の位置まで移動し前記裏地カーテンの差込部側に前記フック部を引っ張ることにより前記フック部を取り外すことを特徴とするランナー掛け用のフックの着脱・固定機構。
【請求項２】
請求項１に記載のランナー掛け用のフックの着脱・固定機構を備えたカーテン用アジャスターフック。
【発明の詳細な説明】
【技術分野】
【０００１】  本発明は、ランナー掛け用のフックの着脱・固定機構に関する。より詳しく述べると、表地カーテンと裏地カーテンの両方を係留するカーテンフックにおいてランナー掛け用のフックの位置を調整・固定しそして取り外す機構に関する。本発明は、さらにこのようなランナー掛け用のフックを備えたカーテン用アジャスターフックに関する。
【背景技術】
【０００２】  従来の遮光性を持たない通常のカーテンに遮光性等の機能を持たせるため、裏地として遮光性等の機能性裏地カーテンを表側のカーテンの裏側に取り付ける方法がとられている。【０００３】  例えば、特許文献１には、図７に示すようなフック部１０１、表地カーテン差込部１０２及び裏地カーテン差込部１０３を有するカーテンフックを介してカーテンレールに吊り下げられる表地カーテンに、裏地カーテンを取り付けて二重カーテンを構成する方法として、表地カーテンに装着されているカーテンフックに裏地カーテンを引っ掛け、そのカーテンフックを介して表地カーテンと裏地カーテンを接合一体化している。【０００４】  一般に、カーテンのランナーに対する吊り方は、図８に示す通り、Ａ吊りとＢ吊りの２通りである。Ａ吊りは、カーテン上縁の高さをランナー下端の高さと略一致させる吊り方であり、Ｂ吊りはカーテン上縁の高さをランナー下端の高さよりも取付片の上下幅の略半分だけ高くする吊り方であり、その際のカーテンフックの位置を各々Ａフック、Ｂフックと呼んでいる。【０００５】  このようなカーテンを吊る際に、カーテンフックには、カーテンの吊り高さを多段階に調整するアジャスターフックと称されるものがある。アジャスターフックは、本体と、別体のアジャスターとからなる。アジャスターは、上部にカーテンランナーのリングに係止させる逆Ｕ字形のフックを、下部に左右の上向き爪を備える枠部を有する。本体は、Ｕ字形であり、一側は外嵌するアジャスターをラチェット式に下方にのみ自由に移動させることのできる多段階の下向き爪が設けられた係合片に、他側はカーテンに挿入される取り付け片にそれぞれ形成される。【０００６】  アジャスターの枠部を本体の係合部に上から外嵌して下方に押し下げるとき、アジャスターの上向き爪は、本体の下向き爪の先端を越えた瞬間を除き、常に弾性変形して本体の下向き爪の表面を滑るが、本体の各段階の下向き爪の先端を越えた瞬間、弾性的に反発し、先端が本体の下向き爪の先端と当接する。このとき、アジャスターを放すと、アジャスターは上向き爪が当接する下向き爪の段位置に安定停止する。このように、アジャスーフックは、ランナーに対するカーテンの吊り高さを多段階に調整することができる（例えば、特許文献２参照）。【０００７】  また、特許文献３には、二重カーテンをランナーに吊り止めるためのカーテン吊り具の吊り作業を容易にし、また金型による成型を容易にして安価に提供するために、カーテン吊り具を本体と、この本体にラチェット係合するフック体とで構成したカーテンフックを開示している。このカーテンフックは図５に示す通りカーテンフック本体１０２は、互いに下端において連続し、上方へ並行して伸びる主杆１０４と挿入杆１０５とを有する。フック体１０３は、主杆１０４を上下に摺動自在に抱持する抱持部１０７と、ランナの吊り環に掛け止めるためのフック部１０８とを有する。挿入杆１０５の下端部には、裏地用フック１１５を掛けるための係止環１０６を設ける。係止環１０６は、Ｕ字状に湾曲する一対の湾曲部１０６ａがその両端部同士を前後に重ね合わせた態様で環状に形成する。従って、鈎状の裏地用吊り具１１５は掛け環１０６の孔１０６ｂに正面から引っ掛けることができる。係止環１０６の湾曲部１０６ａは、成型時、金型を左右に抜くことができる。
【先行技術文献】
【特許文献】
【０００８】
【特許文献１】特公昭６２−２８０１号公報
【特許文献２】特開２００２−２０９７２１号公報
【特許文献３】特開２０００−７０１１５号公報
【発明の概要】
【発明が解決しようとする課題】
【０００９】  しかし、特許文献１に記載のフックの場合、カーテンのランナーへの吊り方が制限されてしまいまた、特許文献２に記載のアジャスターフックを適用して表地カーテンに新たに裏地カーテンを適用する場合、フック本体と差込の間に裏地カーテンの中央テープ内に挿入した後、カーテンフックを反転させて表地カーテンを差込に差し込む必要があり、複雑な操作が必要であった。【００１０】  また、特許文献３に記載のカーテンフックはランナー吊り環に掛け止めるためのフック部の位置調整が可能であり一つのカーテンフックで二枚のカーテンをフックできるアジャスターフックである。しかし、裏吊用のカーテンのためのカーテンフックは係止環を介して装着するので、カーテンの装着するための準備に手間がかかるのと同時に多くの部品から構成されているので、例えばカーテンを洗濯するために外してもう一度付け直す等の作業の際に係止環を介して装着する裏吊用のカーテンのためのカーテンフックが不明になる等使用上不便であった。【００１１】  そこで本発明の課題は、このような二種類のカーテンを一つのフックで位置調整可能に吊るすためのカーテンフックにおけるカーテンフックの着脱機構を提供することである。
【課題を解決するための手段】
【００１２】  上記課題を解決する本発明は、可撓性材料で構成されたカーテンフック本体と、前記カーテンフック本体の底部の一方の側面からＵ字状に曲げられて設けられた表地カーテン差込部と、  前記カーテンフック本体に設けられたラチェット部と、前記ラチェット部に滑動・固定可能に係止される可撓性材料で構成され、ラチェット係合用の爪部を有するラチェット係合用ボックスと前記ラチェット係合ボックス上に設けられたフックとからなる第１のフック部であるランナー掛け用のフック部と、前記カーテンフック本体の底部の他方の側面に裏地カーテン係止用の第２の差込部が固定して設けられたカーテン用アジャスターフックにおけるランナー掛け用のフックの着脱・固定機構であって、前記ラチェット部が前記第１のフック部の滑動方向に対して両側面に設けられ、前記本体のラチェット部が設けられた側面の底部側に、前記第１のフック部の取り外し用の溝部を備えており、前記第１のフック部のラチェット係合用ボックスを前記ラチェット部の頂部から挿入することにより前記第１のフック部をカーテンフック本体に取り付け、  前記ラチェット係合用ボックスの位置を前記ラチェット部における所望の位置で位置調整して固定し、そして  前記ラチェット係合用ボックスの位置を前記溝部の位置まで移動し前記裏地カーテンの差込部側に前記フック部を引っ張ることにより前記フック部を取り外すことを特徴とする。【００１３】  本発明は、またこのようなランナー掛け用のフックの着脱・固定機構を備えたカーテン用アジャスターフックに関する。
【発明の効果】
【００１４】  本発明のカーテン用アジャスターフックの着脱・固定機構は、表地カーテンの吊り位置を自在に調整することが可能であるとともに、カーテン用アジャスターフックにランナーおよび表面フックを係止したまま、裏地カーテンを着脱することができるアジャスターフックを提供することができる。そのため、裏地カーテンを取り外して取り替えることやカーテンを表地カーテンランナーから取り外すことなく容易に裏地カーテンを装着することが可能となる。しかも、本体のラチェット部が設けられた側面の底部側に、前記第１のフック部の取り外し用の溝部を備えており、前記第１のフック部のラチェット係合用ボックスを前記ラチェット部の頂部から挿入することにより前記第１のフック部をカーテンフック本体に取り付け、前記ラチェット係合用ボックスの位置を前記ラチェット部における所望の位置で位置調整して固定し、そして前記ラチェット係合用ボックスの位置を前記溝部の位置まで移動し前記裏地カーテンの差込部側に前記フック部を引っ張ることにより前記フック部を取り外すことができるので、カーテンフックの装着・カーテンの吊位置の調整、取り外しが容易にできる。また、裏地カーテンの取り付けも固定された第２の差し込み口に引っ掛けることにより安定して取り付けることが可能である。また、ラチェット部が前記第１のフック部の滑動方向に対して両側面に設けているので挿入した第１のラチェット部を確実に所定位置で固定することが可能であるのと同時に、第１のフック部を取り外す際に、ラチェット係合用ボックス側のラチェット係合部が側面、すなわち溝部と異なる面にあるので着脱操作が若干容易となる。
【図面の簡単な説明】
【００１５】
【図１】  図１のカーテン用アジャスターフックの側面図である。
【図２】  図１の第１のカーテンフック部を取り外す操作を示す側面図である。
【図３】  図１のカーテン用アジャスターフックに使用するフック部の一例を示す図面である。
【図４】  本発明のカーテンセットをカーテンランナーに取り付けた様子を示す図面である。
【図５】  従来のカーテン用アジャスターフックの一例を示す図面である。
【発明を実施するための形態】
【００１６】  以下、本発明の実施の形態を添付図面に基づいて説明する。
本発明は、可撓性材料で構成されたカーテンフック本体１０と、カーテンフック本体１０の底部の一方の側面からＵ字状に曲げられて設けられた表地カーテン差込部１１と、ラチェット部１２と、ラチェット部１２に滑動・固定可能に係止される可撓性材料で構成され、ラチェット係合用の爪部１３ａ’（図３参照）を有するラチェット係合用ボックス１３ｂとラチェット係合ボックス１３ｂ上に設けられたフック１３ｂとからなる第１のフック部１３であるランナー掛け用のフック部と、から構成されたアジャスターフックにおける第１のフック部１３の着脱機構である。
【００１７】  第１のカーテンフックは、表地カーテンと裏地カーテンの両方を一体化して係止するためのカーテンフックであって、表地カーテンの吊り位置をＡ吊り及びＢ吊りのいずれかに調整するためのアジャスター機能を備えている。
【００１８】  第１のカーテンフックは、可撓性材料で構成されたカーテンフック本体１０と、カーテンフック本体１０の底部の一方の側面からＵ字状に曲げられて設けられた表地カーテン差込部１１と、カーテンフック本体１０に設けられたラチェット部１２と、カーテンフック本体１０の底部の他方の側面に固定して設けられた裏地カーテン係止用の第２の差込部１４とから主として構成され、前記ラチェット部にランナー掛け用のフック部１３が挿入・固定できるように構成されている。
【００１９】  第１のカーテンフックに用いられる部材（カーテンフック本体１０、差込部１１、裏地カーテン係止用の第２の差込部１４）は、当該技術分野に周知の可撓性材料、一般には熱可塑性プラスチック、例えばポリアセタール樹脂から構成されている。表地カーテン差込部１１と、カーテンフック本体１０に設けられたラチェット部１２と、カーテンフック本体１０の底部の他方の側面に固定して設けられた裏地カーテン係止用の第２の差込部１４とから主として構成され、前記ラチェット部にランナー掛け用のフック部１３が挿入・固定されている。
【００２０】  表地カーテン差込部１１は、表地カーテンを差し込んで固定するための部材であり、カーテンフック本体１０側に凸部を、表地カーテン差込部１１に凹部を設けて表地カーテンの抜けを防止する構成にすることもできる。
【００２１】  裏地カーテン係止用の第２の差込部１４は、裏地カーテンを差し込んで固定するための部材であり、表地カーテン差込部１１とは逆に裏地カーテン係止用の第２の差込部１４側に凸部を、カーテンフック本体１０側に凹部を設けて裏地カーテンの抜けを防止することが好ましい。
【００２２】  ランナー掛け用のフック部１３（以下、第１のフック部１３という）は、カーテン（表地カーテン・裏地カーテン）を差し込んで固定した第１のカーテンフックをカーテンランナーに係止するためのフックであり、カーテンフック本体１０と同様に該技術分野に周知の可撓性材料、一般には熱可塑性プラスチック、例えばポリアセタール樹脂から構成されている。また、図３に示す通り、第１のフック部１３は、ラチェット部１２に滑動・固定可能に係止される可撓性材料で構成され、ラチェット係合用の爪部１３ａ’を有するボックス１３ａとラチェット係合ボックス１３ａ上に設けられたフック１３ｂとから構成されている。なお、第１のカーテンフックは、カーテンレールに取り付けられたランナーに加えてポールにカーテンを吊るす際に用いられるポールのランナーに取り付けることも可能である。
【００２３】  第１のフック部１３におけるボックス１３ａは、カーテンフック本体１０のラチェット部に挿入するために裏地側には図示しない切れ込みを有しており、ボックス１３ａの弾性力によりカーテンフック本体１０のラチェット部１２内下方方向に滑動する。その際に、周知の通りラチェット部１２のラチェットと爪部１３ａ’が段階的に係止される構成を有している。
【００２４】  そして、本発明において、ラチェット部１２が第１のフック部１３の滑動方向に対して両側面に設けられ、そしてカーテンフック本体１０のラチェット部１２が設けられた側面の底部側に、第１のフック部１３の取り外し用の溝部１５を備えており第１のフック部１３の着脱機構を構成している。この溝部１５は、第１のフックのボックス１３ａの長さ方向のサイズよりも長いサイズで構成されている。
【００２５】  このように構成することにより、図３に示す通り第１のフック部１３を溝部に位置するように矢印Ａに示す通り垂直方向に力を加えた後、矢印Ｂに示す通り外側（裏地カーテンの差込部側方向）に第１のフック部１３を引っ張ることにより第１のフック部を取り外すことが可能となる。
【００２６】  また、カーテンフック本体１０の頂部から溝部１５までのＡ吊り用・Ｂ吊り用の両方の吊りに対応するのに十分な長さのラチェット部１２をカーテンフック本体１０に形成しているので、ラチェット部１２の頂部側から挿入した第１のフック部１３を所望の位置に（Ａ吊り用・Ｂ吊り用の位置）で固定することおよび溝部１５まで第１のフック部１３を移動して第１のフック部１３の取り外しが可能となる。この際に、本発明において、ラチェット部１２が第１のフック部の滑動方向に対して両側面、すなわち摺動面に対して垂直な面に二か所配置されているので修道面にラチェット部を設けた場合に比較してフック部の固定がぐらぐらせず安定して着脱及び固定が可能となる。
【００２７】  このように構成した本発明のランナー掛け用のフックの着脱・固定機構を備えたカーテンフックは、このように構成した第１のカーテンフックを所定間隔で表地カーテンと裏面カーテンに取り付けて一体化してカーテンランナーに取り付けることができ、また一体化したカーテンは、Ａ吊り、Ｂ吊りにも対応してカーテンの吊り位置を調整することが可能である。したがって、従来技術のように複雑な作業なしで表地カーテンと裏地カーテンを装着しカーテンランナーに取り付け可能であり、しかも表地カーテンを吊るした状態で、裏地カーテンを取り外し・取り付け可能となる。
【符号の説明】
【００２８】１０      カーテンフック本体
１１      カーテン差込部
１２      ラチェット部
１３      第１のフック部
１３ａ    ボックス
１３ａ’  爪部
１４      第２の差込部
１５      溝部
【図１】
2019107431.tif 000003
【図２】
2019107431.tif 000004
【図３】
2019107431.tif 000005
【図４】
2019107431.tif 000006
【図５】
2019107431.tif 000007